(57)【要約】【課題】消炎部材を排気路に容易に固定できる加熱調理器を提供する。【解決手段】加熱調理器は、被調理物を配置可能な加熱室５と、加熱室５内を加熱するためのバーナーと、加熱室５に通じ、加熱室５内の気体を排出するための排気路と、排気路内に位置し、前記気体が通過可能な通気孔８２が形成された消炎部材８とを備える。排気路は、消炎部材８が起立姿勢で載置される載置部７６を有する。消炎部材８は、載置部７６に載置されて載置部７６に対して固定される被固定部８１を有する。加熱調理器は、消炎部材８が前記起立姿勢でかつ被固定部８１が載置部７６に対して固定されていない状態で載置されているときに、消炎部材８が倒れることを規制する規制部１５を備える。【選択図】図６
2019113275.tif 000002
【特許請求の範囲】
【請求項１】
被調理物を配置可能な加熱室と、
前記加熱室内を加熱するためのバーナーと、
前記加熱室に通じ、前記加熱室内の気体を排出するための排気路と、
前記排気路内に位置し、前記気体が通過可能な通気孔が形成された消炎部材とを備えた加熱調理器であって、
前記排気路は、
前記消炎部材が起立姿勢で載置される載置部を有し、
前記消炎部材は、
前記載置部に載置されて前記載置部に対して固定される被固定部を有し、
前記加熱調理器は、
前記消炎部材が前記起立姿勢でかつ前記被固定部が前記載置部に対して固定されていない状態で載置されるときに、前記消炎部材が倒れることを規制する規制部を備えることを特徴とする加熱調理器。
【請求項２】
前記規制部は、
前記被固定部から水平方向に対して交差する方向に突出し、前記排気路の内面で支持される被支持部を有することを特徴とする請求項１に記載の加熱調理器。
【請求項３】
前記規制部は、
前記排気路に設けられ、前記被固定部の上面に当たる押さえ部を有することを特徴とする請求項１又は請求項２に記載の加熱調理器。
【請求項４】
前記被固定部に上下方向に貫通する嵌め込み孔が形成されており、
前記排気路は、
前記載置部より上方に突出し、前記嵌め込み孔を通過し前記被固定部の上方に突出する嵌め込み部を有することを特徴とする請求項１〜３のいずれか１項に記載の加熱調理器。
【請求項５】
前記排気路は、
対向する一対の面を有し、
前記被固定部は、
前記載置部に載置される一対の被載置部を有し、
前記一対の被載置部は、前記排気路の前記一対の面に沿って配置されることを特徴とする請求項１〜４のいずれか１項に記載の加熱調理器。
【発明の詳細な説明】
【技術分野】
【０００１】
本発明は、加熱調理器に関する。
【背景技術】
【０００２】
特許文献１には、グリルを備えたガスこんろが開示されている。前記グリルは、グリルバーナーが装備された加熱室と、加熱室内の調理排気を排出する排気用筒部と、排気用筒部内に設置された消炎部材とを備えている。消炎部材には、加熱室で生じた火炎を消す多孔状部が形成されている。
【先行技術文献】
【特許文献】
【０００３】
【特許文献１】特開２０１７−４６９４４号公報
【発明の概要】
【発明が解決しようとする課題】
【０００４】
前記消炎部材は、排気用筒部に対して容易に固定できることが望まれる。
【０００５】
本発明は前記事情に鑑みてなされたものであって、消炎部材を排気路に容易に固定できる加熱調理器を提供することを目的とする。
【課題を解決するための手段】
【０００６】
前記目的を達成するために本発明に係る一態様の加熱調理器は、被調理物を配置可能な加熱室と、前記加熱室内を加熱するためのバーナーと、前記加熱室に通じ、前記加熱室内の気体を排出するための排気路と、前記排気路内に位置し、前記気体が通過可能な通気孔が形成された消炎部材とを備えた加熱調理器であって、前記排気路は、前記消炎部材が起立姿勢で載置される載置部を有し、前記消炎部材は、前記載置部に載置されて前記載置部に対して固定される被固定部を有し、前記加熱調理器は、前記消炎部材が前記起立姿勢でかつ前記被固定部が前記載置部に対して固定されていない状態で載置されているときに、前記消炎部材が倒れることを規制する規制部を備えることを特徴とする。
【発明の効果】
【０００７】
本発明に係る一態様の加熱調理器は、消炎部材を排気路に容易に固定することができる。
【図面の簡単な説明】
【０００８】
【図１】図１は、本開示における第１実施形態の加熱調理器の斜視図である。
【図２】図２は、同上の加熱調理器を組み込んだキャビネットの斜視図である。
【図３】図３は、図１のＡ−Ａ線断面図である。
【図４】図４は、同上の加熱調理器が備えるグリル装置であって、天井部の図示を省略した斜視図である。
【図５】図５は、同上のグリル装置の流路構成部と前部底板とを示した分解斜視図である。
【図６】図６は、同上のグリル装置が備える消炎部材及び消炎部材の近傍部分を示した斜視図である。
【図７】図７Ａ〜図７Ｃは同上の消炎部材を示し、図７Ａは正面図であり、図７Ｂは平面図であり、図７Ｃは側面図である。
【図８】図８Ａ及び図８Ｂは、本開示における第２実施形態の前部底板を示し、図８Ａは全体斜視図であり、図８Ｂは図８ＡのＢ部拡大図である。
【図９】図９は、同上の消炎部材を設置したときにおける要部の斜視図である。
【発明を実施するための形態】
【０００９】
以下に示す実施形態は、加熱調理器に関し、詳しくは、加熱室内の気体を排出するための排気路に消炎部材が配置された加熱調理器に関する。
【００１０】
図１に示す第１実施形態の加熱調理器１は、グリル付きのガスこんろであり、図２に示すように、キッチン等に設置されるキャビネット（キッチンキャビネット）９の上部に組み込まれた状態で利用されるドロップインこんろである。
【００１１】
キャビネット９は、上方に開口した箱状のキャビネット本体９０と、キャビネット本体９０上に設置されたカウンター９１とを備えている。カウンター９１は平面視矩形の板状に形成されており、キャビネット本体９０の上面を覆っている。
【００１２】
カウンター９１には、上下方向に貫通する設置用孔９２が形成されている。加熱調理器１は、設置用孔９２に上方から挿入されて、カウンター９１に設置される。
【００１３】
以下、加熱調理器１の各要素について、加熱調理器１がキャビネット９に設置された状態における方向を基準にして説明する。具体的には、加熱調理器１から見て、設計上、利用者が位置する方向を前方と定義する。また、加熱調理器１を前方から見たときを基準にして、左右方向を定義する。
【００１４】
図１に示すように、本実施形態の加熱調理器１は、筐体２と、複数のこんろバーナー３と、グリル装置４と、制御部（図示せず）と、複数の五徳１０とを備えている。
【００１５】
本実施形態の筐体２は、上方に開口した箱状に形成されたケーシング２０と、ケーシング２０の上方に配置された天板２１とを有している。
【００１６】
ケーシング２０の上面には、上開口部２２が形成されている。ケーシング２０の内部には、複数のこんろバーナー３と、グリル装置４と、前記制御部とが設置されている。
【００１７】
加熱調理器１は、複数のこんろバーナー３の各々を操作するための操作部として、こんろ用操作部１１を備えている。本実施形態のこんろ用操作部１１は、ケーシング２０の前面に設けられており、キャビネット９の前方から操作可能である。こんろ用操作部１１が利用者によって操作されたとき、前記制御部はこんろ用操作部１１の操作に応じて各こんろバーナー３の点火の有無及び火力を変更する。
【００１８】
ケーシング２０の上開口部２２は、天板２１によって覆われている。本実施形態の天板２１は、主板２３と、主板２３の後方に配置された副板２４とを有している。主板２３及び副板２４の各々は、ケーシング２０上に設置されている。副板２４は天板２１の後端部を構成し、主板２３は天板２１における副板２４よりも前方の部分を構成する。
【００１９】
主板２３において複数のこんろバーナー３に対応する箇所には、複数のバーナー用孔２５がそれぞれ形成されている。各バーナー用孔２５は、主板２３を上下方向に貫通する孔である。
【００２０】
各こんろバーナー３は、対応するバーナー用孔２５を通過し天板２１の上方に突出している。これにより、各こんろバーナー３は、天板２１の上方に露出している。天板２１の上面において、各こんろバーナー３に対応する箇所には、五徳１０が設置されている。
【００２１】
副板２４には、グリル装置４内の気体を排出するための排気口２６が形成されている。本実施形態の排気口２６は、副板２４を上下方向に貫通し、長手方向が左右方向と平行な矩形状の孔であり、副板２４の左右両端部の間に亘っている。
【００２２】
本実施形態の加熱調理器１は、排気口２６を覆う複数の排気口カバー１２を備えている。各排気口カバー１２には、複数の通気用孔１３が形成されている。各排気口カバー１２は、排気口２６に脱着可能に取り付けられている。
【００２３】
筐体２内にはグリル装置４が設置されている。図３及び図４に示すように、本実施形態のグリル装置４は、グリル庫である加熱室５と、複数のバーナー（グリル用バーナー）４０，４１と、扉４２と、排気路６とを有している。
【００２４】
加熱室５は、ケーシング２０に収納されている。本実施形態の加熱室５は、前方に開口した箱状に形成されており、底部５０、左右の側壁部５１，５２、後壁部５３及び天井部５４を含んでいる。本実施形態の底部５０、左右の側壁部５１，５２及び天井部５４の各々は、金属板を曲げ加工等することにより形成された板金加工品である。後壁部５３は、板金加工品の一部で構成されている。
【００２５】
加熱室５の内部には、底部５０、左右の側壁部５１，５２、後壁部５３及び天井部５４で囲まれ、魚等の被調理物が配置される加熱空間５５が形成されている。加熱室５の前面には、前開口部５６が形成されており、加熱空間５５は、前開口部５６を介してケーシング２０の前方に通じる。被調理物は、前開口部５６を通じて加熱空間５５に出し入れされる。
【００２６】
加熱室５の前開口部５６は、扉４２によって開閉される。本実施形態の扉４２は、加熱室５に対して前後方向に移動可能に取り付けられている。扉４２は、前開口部５６を閉じる閉位置と、閉位置よりも前方に位置して前開口部５６を開く開位置との間で移動可能である。
【００２７】
本実施形態のグリル装置４は、加熱室５の内部を加熱する複数のバーナーとして、上バーナー４０と、下バーナー４１とを有している。
【００２８】
上バーナー４０及び下バーナー４１は、加熱室５の天井部５４及び底部５０に対してそれぞれ固定されて、加熱室５の内部に露出している。上バーナー４０は、加熱室５の内部に配置された被調理物を上側から加熱し、下バーナー４１は、加熱室５の内部に配置された被調理物を下側から加熱する。
【００２９】
加熱調理器１は、複数のバーナー４０，４１を操作するための操作部として、図１に示すグリル用操作部１４を備えている。本実施形態のグリル用操作部１４は、ケーシング２０の前面に設けられており、図２に示すキャビネット９の前方から操作可能である。グリル用操作部１４が利用者によって操作されたとき、前記制御部はグリル用操作部１４の操作に応じて上バーナー４０及び下バーナー４１の各々の点火の有無及び火力を変更する。
【００３０】
図４に示すように、加熱室５の後端部には、前後方向に貫通する後開口部５７が形成されている。本実施形態の後開口部５７は、後壁部５３の左右方向の中央部における上側部分に形成された切欠５７０と、後壁部５３の上方の空間５７１とを含んでいる。
【００３１】
図３に示すように、後開口部５７の後ろ斜め上方には、天板２１に形成された排気口２６が位置している。後開口部５７は、加熱室５に取り付けられた排気路６を介して天板２１の排気口２６に通じている。
【００３２】
排気路６は、後開口部５７から排気口２６が位置する後ろ斜め上方に向かって延びている。加熱室５内で発生した燃焼ガス及び水蒸気等の気体は、後開口部５７から排気路６に流入し、この後、排気口２６から排出される。
【００３３】
図３及び図４に示すように、本実施形態の排気路６は、複数の流路構成部材６０〜６４と、後壁部５３と一体に形成された流路構成部６５とで構成されている。
【００３４】
具体的に排気路６は、複数の流路構成部材６０〜６４として、天井板６０、左右の側板６１，６２、後部底板６３及び前部底板６４を含んでいる。排気路６の天井部は、天井板６０で構成され、排気路６の左右の側壁は左右の側板６１でそれぞれ構成されている。排気路６の底部５０の後部は、後部底板６３で構成され、排気路６の底部５０の前部は、前部底板６４で構成されている。各流路構成部材６０〜６４は、板金加工品である。
【００３５】
後壁部５３と一体に形成された流路構成部６５は、図５に示すように、左右一対の縦片部６８と、左右一対の横片部７０とを含んでいる。左右の縦片部６８は、後壁部５３における切欠５７０の左右の側縁からそれぞれ後方に突出している。左右の横片部７０は、後壁部５３における切欠５７０を挟んだ左右両端部の上縁から後方に突出している。
【００３６】
前部底板６４は、本体部６６と、左右一対の突片部６７とを含んでいる。本体部６６は、水平方向に対して傾斜した板状に形成されており、前端に近い部分ほど下方に位置している。
【００３７】
本体部６６は、図６に示すように、後開口部５７の後方に位置しており、加熱室５の後壁部５３における後開口部５７の下縁から後ろ斜め上方に延びている。図５に示すように、本体部６６の後端部の左右両端部の各々は、左右方向における外側に向かって突出した突出部分７２となっている。
【００３８】
左右の突片部６７は、左右の突出部分７２の前端からそれぞれ前方に突出している。各突片部６７は水平な板状に形成されている。図６に示すように、左右の突片部６７は、左右の横片部７０にそれぞれ載置されている（載せられている）。
【００３９】
本実施形態では、左右の突片部６７と左右の横片部７０とで、後述する消炎部材８が起立姿勢で載置される載置部７６が構成されている。本実施形態の載置部７６は、左右一対の載置片部７７を有しており、各載置片部７７は、横片部７０とこの横片部７０上に重なる突片部６７とで構成されている。
【００４０】
本実施形態の前部底板６４は、左右一対の掛止部６９を更に含んでいる。左右の掛止部６９は、それぞれ左右の突片部６７の前縁から下方に突出している。左右の掛止部６９は、加熱室５の後壁部５３の前面に引掛けられている。
【００４１】
本実施形態の前部底板６４は、消炎部材８の左右方向の移動を規制する左右一対の位置決め部７９を更に有している。図５に示すように、左右の位置決め部７９は、それぞれ左右の突片部６７の左右方向における外側の縁部から上方に突出している。各位置決め部７９は対応する突片部６７と一体に形成されている。左右の位置決め部７９は対向しており、左右の位置決め部７９の互いの対向面は、排気路６の対向する内面を構成している。
【００４２】
前部底板６４の各突片部６７には、上下方向に貫通する貫通孔７１が形成されている。流路構成部６５は、各突片部６７の貫通孔７１に嵌め込まれる嵌め込み部７３を有している。
【００４３】
嵌め込み部７３は左右の横片部７０の各々より上方に突出している。本実施形態の各嵌め込み部７３は、左右方向に対して垂直な板状に形成されている。
【００４４】
各嵌め込み部７３は、対応する貫通孔７１を通って、対応する突片部６７よりも上方に突出している。各突片部６７は、当該突片部６７の貫通孔７１に、対応する横片部７０の嵌め込み部７３が嵌め込まれることで、前後方向及び左右方向の移動が規制される。
【００４５】
加熱調理器１は、図３に示すように排気路６内に配置された消炎部材８を更に備えている。消炎部材８は、加熱室５の内部において発生した炎が、排気路６を通じて排気口２６から出ることを抑制する。
【００４６】
消炎部材８は、図６に示すように、排気路６の載置部７６に起立姿勢で載置されており、載置部７６に対して複数のねじ４３で固定されている。
【００４７】
本実施形態の消炎部材８は、板金加工品であり、左右対称形状である。具体的に消炎部材８は、多数の通気孔８２が形成された消炎機能を有する消炎部８０と、載置部７６に載置されて載置部７６に対して固定された被固定部８１とを有している。
【００４８】
図７Ａ〜図７Ｃに示すように、本実施形態の消炎部８０は、後板部８００、上板部８０１及び左右の側板部８０２を含んでいる。
【００４９】
後板部８００は、左右方向に延びており、左右方向に見てＬ字の板状に形成されている。後板部８００は、上端に近い部分ほど前方に位置するように鉛直方向に対して傾斜した上部８０４と、上部８０４の下端から前斜め下方に突出して下端に近い部分ほど前方に位置するように鉛直方向に対して傾斜した下部８０５とを含んでいる。上板部８０１は、後板部８００の上部８０４の上縁から前方に向かって突出している。
【００５０】
左右の側板部８０２は、左右方向に間隔をあけて位置しており、左右方向に対して垂直な板状に形成されている。各側板部８０２の後縁において下端部よりも上方に位置する部分は、上部が後板部８００の上部８０４の対応する側縁につながり、下部が後板部８００の下部８０５の対応する側縁につながっている。
【００５１】
消炎部８０には、通気孔８２が複数形成されている。本実施形態では、後板部８００及び左右の側板部８０２の各々に複数の通気孔８２が形成されている。
【００５２】
具体的に、後板部８００の下部８０５及び左右の側板部８０２に形成された各通気孔８２は、炎が通過し難い小径の丸孔であり、例えばパンチング加工により形成される。また、後板部８００の上部８０４に形成された各通気孔８２は、前後幅の狭い左右方向に延びたスリットであり、例えば、ルーバー加工により形成される。
【００５３】
図３に示す加熱室５から後開口部５７を介して排気路６に流入した気体の大半は、消炎部８０の複数の通気孔８２を通過した後、排気口２６に向かって流れる。
【００５４】
図６に示すように、本実施形態の消炎部材８において、載置部７６に対して固定される被固定部８１は、左右一対の被載置部８１０を含んでいる。左右の被載置部８１０は、左右の側板部８０２の下縁から左右方向の外側に向かって突出しており、水平な板状に形成されている。
【００５５】
左右の被載置部８１０は、前部底板６４の左右の位置決め部７９の間に配置されており、排気路６の左右の載置片部７７（左右の突片部６７）にそれぞれ載置されている。各被載置部８１０は、対応する位置決め部７９の内面に沿って配置されている。
【００５６】
本実施形態の消炎部材８は、その重心が被固定部８１の前後方向における中心（各被載置部８１０の前後方向の中心）よりも後方に位置している。このため、消炎部材８が載置部７６に起立姿勢で載置されたときには、後方に倒れやすい。
【００５７】
図７Ｂに示すように、各被載置部８１０には、嵌め込み孔８３と挿通孔８４とが形成されている。嵌め込み孔８３及び挿通孔８４は、被載置部８１０を上下方向に貫通する孔である。
【００５８】
本実施形態の嵌め込み孔８３は、前後方向に延びており、挿通孔８４よりも前方に位置している。
【００５９】
図６に示すように、流路構成部６５の各嵌め込み部７３は、対応する嵌め込み孔８３を通って、対応する被載置部８１０の上面よりも上方に突出している。各被載置部８１０は、対応する載置片部７７の嵌め込み部７３が、当該被載置部８１０の嵌め込み孔８３の周縁部に当たることで、前後方向及び左右方向の移動が規制される。
【００６０】
図５に示すように、前部底板６４の各突片部６７において、挿通孔８４に対応する箇所には、通し孔７４が形成されている。流路構成部６５の各横片部７０において、挿通孔８４及び通し孔７４に対応する箇所には、上下方向に貫通するねじ穴７５が形成されている。
【００６１】
各ねじ穴７５には、対応する挿通孔８４（図７Ｂ参照）及び通し孔７４（図５参照）に通された図６に示すねじ４３が、ねじ込まれる。これにより、各被載置部８１０は、対応する突片部６７と共に対応する横片部７０にねじ４３で固定される。
【００６２】
図４に示す排気路６の左右の側板６１，６２は、前部底板６４にねじ止めされている。また、後部底板６３及び天井板６０は、左右の側板６１にねじ止めされている。
【００６３】
本実施形態の前部底板６４及び消炎部材８は、例えば、以下に示すように、流路構成部６５に取り付けられる。まず、作業者は、図５に示す前部底板６４の各突片部６７を、流路構成部６５の対応する横片部７０に載置し、各突片部６７の貫通孔７１に、対応する横片部７０の嵌め込み部７３を嵌め込む。これにより、各突片部６７の通し孔７４は、対応する横片部７０のねじ穴７５に通じる。
【００６４】
次に作業者は、図６に示す消炎部材８を消炎部８０が被固定部８１から上方に突出した起立姿勢とした状態で、各被載置部８１０を流路構成部６５の対応する突片部６７に載置し、各被載置部８１０の嵌め込み孔８３に、対応する横片部７０の嵌め込み部７３を嵌め込む。
【００６５】
このように載置部７６に起立姿勢で載置された消炎部材８は、各被載置部８１０が対応する横片部７０と平行でかつ水平になる。また、消炎部材８は、左右の被載置部８１０が、前部底板６４の左右の位置決め部７９の内面に沿って配置されて、左右方向の移動が規制される。また、各被載置部８１０の挿通孔８４（図７Ｂ参照）が、対応する突片部６７の通し孔７４（図５参照）と通じる。
【００６６】
次に作業者は、消炎部材８を、排気路６の載置部７６にねじ止めする。このとき、作業者は、ねじ４３を、各被載置部８１０の上方から、対応する挿通孔８４及び通し孔７４に順に通して、対応するねじ穴７５にねじ込む。これにより、前部底板６４の各突片部６７は、流路構成部６５の対応する横片部７０に対して固定され、消炎部材８の各被載置部８１０は、前部底板６４の突片部６７及び流路構成部６５の対応する横片部７０に対して固定される。
【００６７】
ところで、上述したように、作業者が消炎部材８を排気路６の載置部７６に載置された状態でねじ止めを行う際に、消炎部材８が他の部材で支えられていない状態にあると、起立姿勢にある消炎部材８が倒れてしまい、消炎部材８をねじ４３で固定する作業が煩雑になる可能性がある。特に、加熱室５の前後寸法が長くて載置部７６の前後寸法が短い場合には、消炎部材８が前後に倒れやすくなる。
【００６８】
そこで、本実施形態の加熱調理器１は、消炎部材８が前記起立姿勢とされ、かつ被固定部８１が排気路６の載置部７６に対してねじ４３で固定されていない状態で載置されているときに、消炎部材８が倒れることを規制する規制部１５を備えている。
【００６９】
本実施形態の規制部１５は、消炎部材８の被固定部８１から水平方向に対して交差する方向に突出した被支持部８５を有しており、被支持部８５が排気路６の内面で支持されることにより、前記起立姿勢の消炎部材８が倒れることが規制される。
【００７０】
具体的に本実施形態の規制部１５は、図７Ａ〜図７Ｃに示す、左右一対の被支持部８５を有している。各被支持部８５は、消炎部材８の左右の被載置部８１０の後縁から、それぞれ後ろ斜め上方に向かって突出している。各被支持部８５は、対応する被載置部８１０と一体に形成されており、図５に示す前部底板６４の対応する突出部分７２と平行な板状に形成されている。
【００７１】
図６に示すように、消炎部材８が排気路６の載置部７６に起立姿勢で載置されたとき、各被支持部８５は、対応する突出部分７２の前面に沿って配置される。
【００７２】
このため、載置部７６に載置された起立姿勢の消炎部材８が後方に倒れようとしたときには、各被支持部８５が対応する突出部分７２の前面に当たって支えられ、これにより、消炎部材８の起立姿勢が維持される。したがって、作業者は、消炎部材８を倒れないように手等で支えることなく、自立した消炎部材８を載置部７６にねじ４３で固定することができる。
【００７３】
また、本実施形態では、消炎部材８が排気路６の載置部７６に起立姿勢で載置された状態において、流路構成部６５の各横片部７０の嵌め込み部７３が、対応する被載置部８１０の嵌め込み孔８３を貫通して、被載置部８１０よりも上方に突出する。このため、起立姿勢の消炎部材８が前方に倒れようとしたときには、被載置部８１０において嵌め込み孔８３よりも後方の部分が、嵌め込み部７３における被載置部８１０よりも上方に突出した部分に当たり、これにより、嵌め込み部７３が嵌め込み孔８３から外れ難くなる。
【００７４】
次に第２実施形態について説明する。なお、以下の第２実施形態の説明では、第１実施形態と共通する要素については同一の符号を付して説明を省略する。
【００７５】
第２実施形態の規制部１５は、第１実施形態の左右の被支持部８５（図７Ａ〜図７Ｃ参照）に代えて、図８Ａ及び図８Ｂに示す左右一対の押さえ部７８を有している。
【００７６】
左右の押さえ部７８は、前部底板６４に形成されている。各押さえ部７８は、突片部６７の一部を切り起して形成されている。本実施形態では、各掛止部６９の上縁の一部が上方に突出しており、押さえ部７８は、この突出部分の上縁から後方に突出している。
【００７７】
図９に示すように、消炎部材８の各被載置部８１０が、前部底板６４の対応する突片部６７に載置されるとき、各被載置部８１０の前端部は、対応する押さえ部７８の下方に差し込まれ、各押さえ部７８は、消炎部材８の対応する被載置部８１０の上面に接する。
【００７８】
このため、起立姿勢の消炎部材８が後方に倒れようとしたときには、消炎部材８の被載置部８１０が対応する押さえ部７８によって上方から押さえられ、消炎部材８の起立姿勢が維持される。したがって、本実施形態においても、作業者は、消炎部材８を載置部７６に簡単にねじ４３で固定できる。
【００７９】
なお、第１実施形態及び第２実施形態の加熱調理器１は、適宜設計変更可能である。
【００８０】
例えば、第１実施形態の規制部１５は、被支持部８５を２つ有する場合を示したが、被支持部８５を一つだけ有してもよいし、３以上有してもよい。また、第２実施形態の規制部１５は、押さえ部７８を一つだけ有してもよいし、３以上有してもよい。また、規制部１５は、被支持部８５と押さえ部７８との両者を有してもよい。また、規制部１５は、起立姿勢の消炎部材８の倒れを抑制するための部分を有していればよく、被支持部８５や押さえ部７８で構成されたものに制限されない。
【００８１】
また、加熱調理器１における消炎部材８、排気路６及び加熱室５等の各要素の形状及び材質は、適宜変更可能である。
【００８２】
例えば、排気路６の嵌め込み部７３は、省略可能である。また、排気路６において消炎部材８が載置される載置部７６は、一対の載置片部７７で構成されているが、１又は３以上の載置片部７７で構成されてもよい。また、載置片部７７は、流路構成部６５のみから構成されてもよいし、前部底板６４のみから構成されてもよい。
【００８３】
また、第１実施形態の消炎部材８の被支持部８５は、被固定部８１から水平方向に対して交差する方向に突出するのであれば、被固定部８１から後ろ斜め上方以外の方向に突出してもよい。また、被支持部８５は、消炎部材８の被固定部８１以外の部分から突出してもよい。
【００８４】
また、第２実施形態の押さえ部７８は載置部７６に形成されているが、載置部７６以外の部分に形成されてもよい。
【００８５】
また、消炎部材８の重心は、前後方向において、被固定部８１の前後方向の中心と一致していてもよいし、この中心よりも前方に位置してもよい。また、消炎部材８は排気路６の載置部７６に対して１又は３以上のねじ４３を用いて固定されてもよい。また、消炎部材８は、載置部７６に対してねじ以外の固定手段を用いて固定されてもよい。
【００８６】
また、本実施形態の天板２１は、主板２３と副板２４とで構成されているが、一枚の板で構成されてもよい。
【００８７】
また、加熱調理器１は、テーブルこんろであってもよい。また、加熱調理器１は、例えば、こんろを備えないガスグリルであってもよい。
【００８８】
以上説明した第１実施形態及び第２実施形態の加熱調理器１は、被調理物を配置可能な加熱室５と、加熱室５内を加熱するためのバーナー４０，４１と、加熱室５に通じ、加熱室５内の気体を排出するための排気路６と、排気路６内に位置し、前記気体が通過可能な通気孔８２が形成された消炎部材８とを備えた加熱調理器１であって、以下に示す特徴を有している。排気路６は、消炎部材８が起立姿勢で載置される載置部７６を有する。消炎部材８は、載置部７６に載置されて載置部７６に対して固定される被固定部８１を有する。加熱調理器１は、消炎部材８が前記起立姿勢でかつ被固定部８１が載置部７６に対して固定されていない状態で載置されているときに、消炎部材８が倒れることを規制する規制部１５を備える。以下、この特徴を有する加熱調理器１を第１の態様の加熱調理器１という。
【００８９】
第１の態様の加熱調理器１は、消炎部材８が起立姿勢でかつ被固定部８１が載置部７６に対して固定されていない状態で載置されているときに、規制部１５により起立姿勢の消炎部材８が倒れることが規制される。このため、作業者は、載置部７６に載置された消炎部材８を固定する際に、消炎部材８を倒れないように手等で支える必要がない。したがって、作業者は、消炎部材８を容易に固定することができる。
【００９０】
また、第１実施形態の加熱調理器１は、第１の態様の加熱調理器１が有する特徴に加えて、以下に示す付加的な特徴を有する。規制部１５は、被固定部８１から水平方向に対して交差する方向に突出し、排気路６の内面で支持される被支持部８５を有する。以下、この加熱調理器１を第２の態様の加熱調理器１という。
【００９１】
第２の態様の加熱調理器１にあっては、被支持部８５が排気路６の内面で支持されることにより、起立姿勢の消炎部材８が倒れることが規制される。
【００９２】
また、第２実施形態の加熱調理器１は、第１又は第２の態様の加熱調理器１が有する特徴に加えて、以下に示す付加的な特徴を有する。規制部１５は、排気路６に設けられ、被固定部８１の上面に当たる押さえ部７８を有する。以下、この加熱調理器１を第３の態様の加熱調理器１という。
【００９３】
第３の態様の加熱調理器１は、被固定部８１が押さえ部７８により上方から押さえられることで、起立姿勢の消炎部材８が倒れることが規制される。
【００９４】
また、第１実施形態及び第２実施形態の加熱調理器１は、第１〜第３のいずれかの態様の加熱調理器１が有する特徴に加えて、以下に示す付加的な特徴を有する。被固定部８１に上下方向に貫通する嵌め込み孔８３が形成される。排気路６は、載置部７６より上方に突出し、嵌め込み孔８３を通過し被固定部８１の上方に突出する嵌め込み部７３を有する。以下、この加熱調理器１を第４の態様の加熱調理器１という。
【００９５】
第４の態様の加熱調理器１は、嵌め込み部７３が嵌め込み孔８３に嵌め込まれることで、被固定部８１の載置部７６に対する水平方向の移動が規制される。また、この嵌め込み部７３は被固定部８１の上方に突出するため、嵌め込み孔８３から抜け出し難い。このため、作業者は、消炎部材８を一層容易に固定することができる。
【００９６】
また、第１実施形態及び第２実施形態の加熱調理器１は、第１〜第４のいずれかの態様の加熱調理器１が有する特徴に加えて、以下に示す付加的な特徴を有する。排気路６は、対向する一対の面（左右の位置決め部７９の対向面）を有する。被固定部８１は、載置部７６に載置される一対の被載置部８１０を有する。一対の被載置部８１０は、排気路６の前記一対の面に沿って配置される。以下、この加熱調理器１を第５の態様の加熱調理器１という。
【００９７】
第５の態様の加熱調理器１にあっては、一対の被載置部８１０が、排気路６の対向する一対の内面に沿って配置される。このため、作業者が消炎部材８を排気路６の載置部７６に固定するときに、消炎部材８が移動することを規制することができ、消炎部材８を一層容易に固定することができる。
【符号の説明】
【００９８】
１  加熱調理器
１５  規制部
４０  上バーナー
４１  下バーナー
５  加熱室
６  排気路
７３  嵌め込み部
７６  載置部
７８  押さえ部
８  消炎部材
８１  被固定部
８１０  被載置部
８２  通気孔
８３  嵌め込み孔
８５  被支持部
【図１】
2019113275.tif 000003
【図２】
2019113275.tif 000004
【図３】
2019113275.tif 000005
【図４】
2019113275.tif 000006
【図５】
2019113275.tif 000007
【図６】
2019113275.tif 000008
【図７】
2019113275.tif 000009
【図８】
2019113275.tif 000010
【図９】
2019113275.tif 000011